(57)【特許請求の範囲】
【請求項１】
無線基地局と無線端末と無線中継装置とを備え、前記無線端末と前記無線基地局とが前記無線中継装置を介して通信を行う際の無線チャネル割当方法において、
前記無線中継装置は、前記無線基地局から割り当てられた前記無線基地局と前記無線中継装置間の通信チャネルと制御チャネルに基づいて無線端末に割り当てる通信チャネルを決定するステップと、
前記無線基地局から割り当てられる通信チャネルが前記無線端末と前記無線中継装置との間で使用している通信チャネルと同じである場合、又は、前記無線端末に割り当てようとする通信チャネルの組合せが、前記無線端末が通信チャネルを確立することができない組合せになる場合に、前記無線基地局に対して通信チャネルの再割当を要求するステップとを含むことを特徴とする無線チャネル割当方法。
【請求項２】
無線基地局と無線端末と無線中継装置とを備え、前記無線端末と前記無線基地局とが前記無線中継装置を介して通信を行う際の無線チャネル割当方法において、
前記無線端末と前記無線基地局間で複数の通信チャネルの接続を行う際に、
前記無線中継器装置は、
（１）前記無線端末から呼接続の要求を受けた場合、前記無線基地局に対し前記無線基地局と前記無線中継装置間の１つの通信チャネルを要求し、前記無線基地局から１つの無線チャネルを割り当てられる第一のステップと、
（２）前記無線基地局から割り当てられた通信チャネルと制御チャネルから前記無線端末に割り当てる１つの通信チャネルを決定し、該通信チャネルを前記無線端末に割り当てる第二のステップと、
（３）前記無線端末に対して全ての通信チャネルを割り当てるまで前記第一のステップと前記第二のステップを繰り返す第三のステップと、
（４）前記第三のステップを処理する過程において、前記無線基地局から割り当てられる１つの通信チャネルが先に前記無線端末へ割り当てた通信チャネルに等しい、又は、前記無線端末に割り当てようとする通信チャネルの組み合わせでは前記無線端末と通信不可能であると判断し、その場合、前記無線基地局に対し通信チャネルの割り当てを再要求する第四のステップとを備え、
前記無線中継装置は、前記無線端末に対し通信可能な全ての通信チャネルを割り当てることで通信チャネルの割当処理を終了することを特徴とする無線チャネル割当方法。
【請求項３】
請求項２に記載の無線チャネル割当方法において、
前記無線中継装置が１つ目の通信チャネルを前記無線基地局から割り当てられた際に、割り当てられた通信チャネルによれば、前記無線端末へ割り当てる通信チャネルが予め定めた通信チャネルに等しくなるような場合は、前記無線基地局に対して通信チャネルの再要求を行うステップを含むことを特徴とする無線チャネル割当方法。
【請求項４】
無線基地局と無線端末と無線中継装置とを備え、前記無線端末と前記無線基地局とが前記無線中継装置を介して通信を行う無線通信システムにおいて、
前記無線中継装置は、
前記無線基地局から割り当てられた前記無線基地局と前記無線中継装置間の通信チャネルと制御チャネルに基づいて前記無線端末に割り当てる通信チャネルを決定する手段と、
前記無線基地局から割り当てられた前記無線基地局と前記無線中継装置間の通信チャネルが前記無線端末と前記無線中継装置との間で使用している通信チャネルと同じである場合、又は、前記無線端末に割り当てる通信チャネルの組合せが、前記無線端末が通信チャネルを確立することができない組合せになる場合に、前記無線基地局に対して通信チャネルの再割当を要求する手段とを含む
ことを特徴とする無線通信システム。
【請求項５】
無線基地局と無線端末と無線中継装置とを備え、前記無線端末と前記無線基地局とが前記無線中継装置を介して通信を行う無線通信システムにおける無線中継装置において、
前記無線中継器装置は、
（１）前記無線端末から呼接続の要求を受けた場合、前記無線基地局に対し前記無線基地局と前記無線中継装置間の１つの通信チャネルを要求し、前記無線基地局から１つの無線チャネルを割り当てられる第一の処理を実行する手段と、
（２）前記無線基地局から割り当てられた通信チャネルと制御チャネルから前記無線端末に割り当てる１つの通信チャネルを決定し、該通信チャネルを前記無線端末に割り当てる第二の処理を実行する手段と、
（３）前記無線端末に対して全ての通信チャネルを割り当てるまで前記第一の処理と前記第二の処理を繰り返す第三の処理を実行する手段と、
（４）前記第三の処理を実行する過程において、前記無線基地局から割り当てられる１つの通信チャネルが先に前記無線端末へ割り当てた通信チャネルに等しい、又は、前記無線端末に割り当てようとする通信チャネルの組み合わせでは前記無線端末と通信不可能であると判断し、その場合、前記無線基地局に対し通信チャネルの割り当てを再要求する手段とを備え、
前記無線中継装置は、前記無線端末に対し通信可能な全ての通信チャネルを割り当てることで通信チャネルの割当処理を終了することを特徴とする無線中継装置。
【発明の詳細な説明】
【０００１】
【発明の属する技術分野】
本発明は、無線通信システム、無線チャネル割当方法及び無線中継装置に係り、特に、無線基地局と無線端末と無線中継装置とから構成され、無線端末と無線基地局との間で無線中継装置を介することによって通信を行う無線通信システム、無線チャネル割当方法及び無線中継装置に関する。
【０００２】
【従来の技術】
図１は、従来の無線通信システムの構成例を示すものである。無線端末１０と、無線端末１０と無線チャネルで接続される無線中継装置２０と、無線中継装置２０と無線チャネルで接続される無線基地局３０とで構成される。無線基地局３０は、他の無線基地局又はＰＳＴＮ（Ｐｕｂｌｉｃ  Ｓｗｉｔｃｈｅｄ  Ｔｅｌｅｐｈｏｎｅ  Ｎｅｔｗｏｒｋ：  公衆電話網）、ＩＳＤＮ（Ｉｎｔｅｇｒａｔｅｄ  Ｓｅｒｖｉｃｅｓ  Ｄｉｇｉｔａｌ    Ｎｅｔｗｏｒｋ  ：統合サービスディジタル通信網）、インターネット等の交換局、ルータ等に接続されている。
【０００３】
この従来の無線通信システムでの無線チャネル割当方法のシーケンスを図６を用いて説明する。図６は、ＰＨＳ（Ｐｅｒｓｏｎａｌ  Ｈａｎｄｙ−ｐｈｏｎｅ  Ｓｙｓｔｅｍ）を用いて６４ｋ無線通信を行う場合を示している。
無線端末１０は、発信時に無線端末側の第１の通信チャネル（以下、「端末側第１ＴＣＨ」という。）の割当のためのＬＣＨ（リンクチャネル）確立要求信号を無線中継装置２０に送信する（１０１）。
【０００４】
無線中継装置２０は、無線端末１０からの端末側第１ＴＣＨの割当のためのＬＣＨ確立要求信号を受信すると、無線基地局３０に対して無線基地局側の第１の通信チャネル（以下、「基地局側第１ＴＣＨ」という。）の割当のためにＬＣＨ確立要求信号を送信する（１０２）。
無線基地局３０は、無線中継装置２０からＬＣＨ確立要求信号を受信すると、無線基地局３０で使用していない通信チャネルを無線中継装置２０に対して基地局側第１ＴＣＨとして割り当て、割り当てたチャネル（以下、「割当チャネル」という。）をＬＣＨ割当信号によって無線中継装置２０に通知する（１０３）。
【０００５】
無線中継装置２０は、無線基地局３０から割り当てられた基地局側第１ＴＣＨが使用可能であれば、基地局側第１ＴＣＨにおいて、無線基地局３０との通信チャネルを確立する（１０４）。
そして、基地局側第１ＴＣＨ以外の通信チャネルを端末側第１ＴＣＨとして無線端末１０に割り当て、無線端末１０にＬＣＨ割当信号によって通知する（１０５）。
【０００６】
無線端末１０は、無線中継装置２０からＬＣＨ割当信号を受信すると、端末側第１ＴＣＨにおいて、無線中継装置２０との通信チャネルを確立する（１０６）。
そして、無線中継装置２０に無線端末１０側の第２の通信チャネル（以下、「端末側第２ＴＣＨ」という。）の割当を要求するためにＴＣＨ追加要求信号を無線中継装置２０に送信する（１０７）。
【０００７】
無線中継装置２０は、無線端末１０からのＴＣＨ追加要求信号を受信すると、無線基地局３０に対して無線基地局側の第２の通信チャネル（以下、「基地局側第２ＴＣＨ」という。）の割当のためにＴＣＨ追加要求信号を送信する（１０８）。
無線基地局３０は、無線中継装置２０からＴＣＨ追加要求信号を受信すると、無線基地局３０で使用していない通信チャネルを無線中継装置２０に対して基地局側第２ＴＣＨとして割り当て、ＴＣＨ追加割当信号によって無線中継装置２０に通知する（１０９）。
【０００８】
無線中継装置２０は、無線基地局３０から割り当てられた基地局側第２ＴＣＨが使用可能であれば、基地局側第２ＴＣＨにおいて、無線基地局３０との通信チャネルを確立する（１１０）。
そして、基地局側第２ＴＣＨ以外の通信チャネルを端末側第２ＴＣＨとして無線端末１０に割り当て、無線端末１０にＴＣＨ追加割当信号によって通知する（１１１）。
【０００９】
無線端末１０は、無線中継装置２０からＴＣＨ追加割当信号を受信すると、端末側第２ＴＣＨにおいて、無線中継装置２０との通信チャネルを確立する（１１２）。
上記に示す手順により、各無線端末１０は、無線中継装置２０を介して無線基地局３０と通信チャネルを確立する（１１３）。
【００１０】
従来の無線チャネル割当方法においては、無線基地局３０及び無線中継装置２０が任意の空き通信チャネルを割り当てる。無線基地局３０は、無線中継装置２０が無線端末１０に割り当てた端末側第１ＴＣＨの割当チャネルを知ることができないので、無線中継装置２０が無線端末１０に割り当てた端末側第１ＴＣＨと無線基地局３０が割り当てた基地局側第２ＴＣＨとが同一となる場合がある。
【００１１】
この場合、無線中継装置２０は、無線基地局３０に再度基地局側第２ＴＣＨの割当を要求するが、無線基地局３０が先に割り当てた基地局側第２ＴＣＨ以外の通信チャネルを割り当てることができなければ、無線端末１０と無線基地局３０の間において複数の通信チャネルを確立することができない。
また、現在のＰＨＳの無線端末１０においては、無線端末１０の送受信機の性能から、端末側第１ＴＣＨと端末側第２ＴＣＨで割り当てることができない通信チャネルの組合せが存在する。例えば、多くのＰＨＳの無線端末１０では、ＴＤＭＡ（Ｔｉｍｅ  Ｄｉｖｉｓｉｏｎ  Ｍｕｌｔｉｐｌｅ  Ａｃｃｅｓｓ：時分割多元接続）における第１スロットと第４スロットとを同時に使用して通信することはできない。
【００１２】
無線中継装置２０が、端末側第１ＴＣＨと端末側第２ＴＣＨで割り当てることができない通信チャネルを割り当てると、無線端末１０と無線基地局３０の間において通信チャネルを確立することができない。これにより、無線端末１０の呼損率を大きくなるという問題がある。
【００１３】
【発明が解決しようとする課題】
従来の無線チャネル割当方法では、通信チャネルの割当方法によっては、無線端末１０と無線基地局３０との間で通信チャネルの確立が不可能になる通信チャネルの組合せが発生し、無線端末１０の呼損率増大の原因となっている。
本発明は、このような課題を解決するもので、無線端末と無線基地局との間で通信チャネルの確立が不可能になる通信チャネルの組合せを回避し、呼損率を減少させることができる無線通信システム、無線チャネル割当方法及び無線中継装置を提供することを目的とする。
【００１４】
【課題を解決するための手段】
請求項１に記載された発明は、無線基地局３０と無線端末１０と無線中継装置２０とを備え、前記無線端末と前記無線基地局とが前記無線中継装置を介して通信を行う際の無線チャネル割当方法において、前記無線中継装置は、前記無線基地局から割り当てられる通信チャネルと制御チャネルに基づいて無線端末に割り当てる通信チャネルを決定するステップと、前記無線基地局から割り当てられる通信チャネルが前記無線端末と前記無線中継装置との間で使用している通信チャネルと同じである場合、又は、前記無線端末に割り当てようとする通信チャネルの組合せが、前記無線端末が通信チャネルを確立することができない組合せになる場合に、前記無線基地局に対して通信チャネルの再割当を要求するステップとを含むことを特徴とする。
【００１５】
請求項２に記載された発明は、無線基地局３０と無線端末１０と無線中継装置２０とを備え、前記無線端末と前記無線基地局とが前記無線中継装置を介して通信を行う際の無線チャネル割当方法において、前記無線端末と前記無線基地局間で複数の通信チャネルの接続を行う際に、前記無線中継器装置は、
（１）前記無線端末から呼接続の要求を受けた場合、前記無線基地局に対し１つの通信チャネルを要求し、前記無線基地局から１つの無線チャネルを割り当てられる第一のステップと、
（２）前記無線基地局から割り当てられた通信チャネルと制御チャネルから前記無線端末に割り当てる１つの通信チャネルを決定し、該通信チャネルを前記無線端末に割り当てる第二のステップと、
（３）前記無線端末に対して全ての通信チャネルを割り当てるまで前記第一のステップと前記第二のステップを繰り返す第三のステップと、
（４）前記第三のステップを処理する過程において、前記無線基地局から割り当てられる１つの通信チャネルが先に前記無線端末へ割り当てた通信チャネルに等しい、又は、前記無線端末に割り当てようとする通信チャネルの組み合わせでは前記無線端末と通信不可能であると判断し、その場合、前記無線基地局に対し通信チャネルの割り当てを再要求する第四のステップ
とを備え、前記無線中継装置は、前記無線端末に対し通信可能な全ての通信チャネルを割り当てることで通信チャネルの割当処理を終了することを特徴とする。
【００１６】
請求項３に記載された発明は、請求項２に記載の無線チャネル割当方法において、前記無線中継装置が１つ目の通信チャネルを前記無線基地局から割り当てられた際に、割り当てられた通信チャネルが先に定めた通信チャネルに等しければ、前記無線基地局に対して通信チャネルの再要求を行うステップを含むことを特徴とする。
【００１７】
請求項４に記載された発明は、無線基地局と無線端末と無線中継装置とを備え、前記無線端末と前記無線基地局とが前記無線中継装置を介して通信を行う無線通信システムにおいて、前記無線中継装置は、前記無線基地局から割り当てられる通信チャネルと制御チャネルに基づいて前記無線端末に割り当てる通信チャネルを決定する手段と、前記無線基地局から割り当てられる通信チャネルが前記無線端末と前記無線中継装置との間で使用している通信チャネルと同じである場合、又は、前記無線端末に割り当てる通信チャネルの組合せが、前記無線端末が通信チャネルを確立することができない組合せになる場合に、前記無線基地局に対して通信チャネルの再割当を要求する手段とを含むことを特徴とする。
【００１８】
請求項５に記載された発明は、無線基地局と無線端末と無線中継装置とを備え、前記無線端末と前記無線基地局とが前記無線中継装置を介して通信を行う無線通信システムにおける無線中継装置において、前記無線中継器装置は、
（１）前記無線端末から呼接続の要求を受けた場合、前記無線基地局に対し１つの通信チャネルを要求し、前記無線基地局から１つの無線チャネルを割り当てられる第一の処理を実行する手段と、
（２）前記無線基地局から割り当てられた通信チャネルと制御チャネルから前記無線端末に割り当てる１つの通信チャネルを決定し、該通信チャネルを前記無線端末に割り当てる第二の処理を実行する手段と、
（３）前記無線端末に対して全ての通信チャネルを割り当てるまで前記第一の処理と前記第二の処理を繰り返す第三の処理を実行する手段と、
（４）前記第三の処理を実行する過程において、前記無線基地局から割り当てられる１つの通信チャネルが先に前記無線端末へ割り当てた通信チャネルに等しい、又は、前記無線端末に割り当てようとする通信チャネルの組み合わせでは前記無線端末と通信不可能であると判断し、その場合、前記無線基地局に対し通信チャネルの割り当てを再要求する手段
とを備え、前記無線中継装置は、前記無線端末に対し通信可能な全ての通信チャネルを割り当てることで通信チャネルの割当処理を終了することを特徴とする。
【００１９】
【発明の実施の形態】
本発明の実施の形態を図１を参照して説明する。
本発明が適用される無線通信システムの構成例は、従来例で示したものと同じである。無線端末１０と、無線端末１０と無線チャネルで接続される無線中継装置２０と、無線中継装置２０と無線チャネルで接続される無線基地局３０とで構成される。
【００２０】
ここにおいて、無線中継装置２０は、無線基地局３０から割り当てられる通信チャネルと制御チャネルとの割当チャネルから無線端末１０に割り当てる通信チャネルを決定する手段を備え、無線基地局３０から割り当てられる通信チャネルが無線端末１０と無線中継装置２０との間で使用している通信チャネルと同じである場合、又は、無線端末１０に割り当てる通信チャネルの組合せが、無線端末１０が通信チャネルを確立することができない組合せになる場合に、無線基地局３０に対して通信チャネルの再割当を要求する手段を含むことを特徴とする。
【００２１】
次に本実施の形態の動作を図面を参照して説明する。
このような構成の無線通信システムでの発信のシーケンスを図２に示す。図２のシーケンスは、ＰＨＳを例にとって示している。図２には、通信チャネルの内容も示し、シーケンスに従って通信チャネルが割り当てられる。
ＰＨＳでは、無線チャネル構成はＴＤＭＡであり、１つの無線端末１０及び無線中継装置２０が使用可能である。無線チャネルは４つあり、この無線チャネルを第１スロット、第２スロット、第３スロット、第４スロットと呼ぶ。
【００２２】
無線基地局３０と無線中継装置２０とで無線通信を行うためには、無線基地局３０と無線中継装置２０とが同じ通信チャネルを使用する必要がある。同様に、無線中継装置２０と無線端末１０とで無線通信を行うためには、無線中継装置２０と無線端末１０とが同じ通信チャネルを使用する必要がある。
無線中継装置２０では、無線基地局３０との通信チャネルと無線端末１０との通信チャネルは別の通信チャネルにする必要がある。例えば、無線基地局３０と無線中継装置２０とで使用する通信チャネルが、第２スロット、第３スロットであるならば、無線中継装置２０と無線端末１０とで使用する通信チャネルは、第１スロット、第４スロットとする必要がある。
【００２３】
また、数字符号１は、無線端末１０から無線中継装置２０、又は無線中継装置２０から無線基地局３０に送信されるＬＣＨ確立要求信号を、符号２は無線基地局３０から無線中継装置２０、又は無線中継装置２０から無線端末１０に送信されるＬＣＨ割当信号を、符号３は無線端末１０から無線中継装置２０、又は無線中継装置２０から無線基地局３０に送信されるＴＣＨ追加要求信号を、符号４は無線基地局３０から無線中継装置２０、又は無線中継装置２０から無線端末１０に送信されるＴＣＨ追加割当信号を、符号５は無線端末１０から無線中継装置２０、又は無線中継装置２０から無線基地局３０に送信されるＬＣＨ確立再要求信号、符号６は、無線端末１０から無線中継装置２０、又は無線中継装置２０から無線基地局３０に送信されるＴＣＨ追加再要求信号を示している。
【００２４】
無線基地局３０は、無線中継装置２０に対して制御チャネルで制御信号（以下、「基地局側ＬＣＣＨ」という。）を送信している。また、無線中継装置２０も無線端末１０に対してＬＣＣＨを送信している。ここで、無線基地局３０と無線中継装置２０との間の制御チャネル（以下、「基地局側制御チャネル」という。）の割当チャネルを第１スロット、無線中継装置２０と無線端末１０との間の制御チャネル（以下、「端末側制御チャネル」という。）の割当チャネルを第４スロットとする。
【００２５】
無線端末１０は、発信時に無線端末１０側の第１の通信チャネル（以下、「端末側第１ＴＣＨ」という。）の割当のためのＬＣＨ確立要求信号１を制御チャネルによって無線中継装置２０に送信する。
無線中継装置２０は、無線端末１０からの端末側第１ＴＣＨの割当のためのＬＣＨ確立要求信号１を受信すると、無線基地局３０に対して無線基地局側の第１の通信チャネル（以下、「基地局側第１ＴＣＨ」という。）の割当のためにＬＣＨ確立要求信号１を制御チャネルによって送信する。
【００２６】
無線基地局３０は、無線中継装置２０からＬＣＨ確立要求信号１を受信すると、無線基地局３０で使用していない通信チャネルを無線中継装置２０に対して基地局側第１ＴＣＨとして割り当て、ＬＣＨ割当信号２によって無線中継装置２０に通知する。ＬＣＨ割当信号２には無線基地局３０と無線中継装置２０との間の割当チャネルの情報が含まれている。
【００２７】
基地局側第１ＴＣＨの割当チャネルの決定方法としては、無線基地局３０で使用していない無線チャネルを割り当てるものとする。ここで、無線基地局３０は基地局側第１ＴＣＨを第４スロットに割り当てたものとする。
無線中継装置２０は、無線基地局３０から送信されたＬＣＨ割当信号２を受信する。基地局側第１ＴＣＨが、無線端末１０に組み合わせて割り当てられない第１スロット又は第４スロットを割り当てられたならば、これらのスロットはできれば最後に割り当てたいので、無線中継装置２０は、無線基地局３０に対してＬＣＨ確立再要求信号５を送信する。無線基地局３０は、無線中継装置２０からＬＣＨ確立再要求信号５を受信すると、先に送信した基地局側第１ＴＣＨで割り当てた通信チャネル以外に割り当てられる通信チャネルがあれば、その通信チャネルを基地局側第１ＴＣＨに割り当て、無線中継装置２０にＬＣＨ割当信号２を送信する。
【００２８】
ここで、無線基地局３０は、基地局側第１ＴＣＨを第３スロットに割り当てたとする。無線中継装置２０は、無線基地局３０から送信されたＬＣＨ割当信号２を受信する。
ＬＣＨ割当信号２を受信したときの通信チャネルの割当制御は、図３に示すフローチャートに沿って行われる。
【００２９】
割り当てられた通信チャネルが第１スロット又は第４スロットにあり（Ｓ１０２）、かつ、制御チャネルが第１スロット又は第４スロットにあり（Ｓ１０３）、かつ、制御チャネルと割り当てられた通信チャネルが異なるスロットである場合（Ｓ１０４）、ＬＣＨ確立再要求信号５を送信して（Ｓ１０５）、ＬＣＨ割当信号２を受信することを繰り返す。
【００３０】
その他の場合、無線中継装置２０は、無線基地局３０から割り当てられた基地局側第１ＴＣＨのスロットを調べ、他に干渉波が存在せず、通信可能であれば、無線中継装置２０と無線基地局３０との基地局側第１ＴＣＨの同期を確立する（Ｓ１０６）。無線中継装置２０は、基地局側第１ＴＣＨの同期が確立すると、無線端末１０と無線中継装置２０との間の端末側第１ＴＣＨの割当チャネルを決定する。割当チャネルは、基地局側第１ＴＣＨの割当チャネルと基地局側制御チャネルの割当チャネルから決定する。
【００３１】
例として、テーブルによって端末側第１ＴＣＨの割当チャネルを決定するとしたときのテーブルの例を図４に示す。例えば、基地局側第１ＴＣＨが第３スロットに割り当てられ、基地局側制御チャネルが第１スロットに割り当てられているのならば、端末側第１ＴＣＨは図４を参照することにより、第２スロットに割り当てられる。無線中継装置２０は、端末側第１ＴＣＨの割当チャネル（ここでは第２スロットとする）を無線端末１０にＬＣＨ割当信号２で送信する。無線端末１０は、ＬＣＨ割当信号２を受信すると、端末側第１ＴＣＨで割り当てられた割当チャネルが使用可能かどうか調べ、使用可能であれば、端末側第１ＴＣＨで無線中継装置２０と同期の確立を行う。
【００３２】
そして、無線端末１０は、端末側第２ＴＣＨの割当を要求するために無線中継装置２０に対して、ＴＣＨ追加要求信号３を送信する。無線中継装置２０は、無線端末１０から送信されたＴＣＨ追加要求信号３を受信すると、無線基地局３０に対してＴＣＨ追加要求信号３を送信する。無線基地局３０は、無線中継装置２０から送信されたＴＣＨ追加割当信号３を受信すると、使用可能である割当チャネルをＴＣＨ追加割当信号４によって無線中継装置２０に送信する。ここで、基地局側第２ＴＣＨの割当チャネルを第２スロットとする。無線中継装置２０はＴＣＨ追加割当信号４を受信し、無線基地局３０からＴＣＨ追加割当信号４によって割り当てられた基地局側第２ＴＣＨの割当チャネルが端末側第１ＴＣＨの割当チャネルに等しければ、無線基地局３０にＴＣＨ追加再要求信号６を無線基地局３０に送信する。
【００３３】
また、ＰＨＳの無線端末１０の多くは、特定の通信チャネルの組み合わせでは無線通信が不可能である。具体的には、端末側第１ＴＣＨと端末側第２ＴＣＨに割り当てられた割当チャネルの組み合わせが第１スロットと第４スロットとなる場合、無線端末１０は、無線通信が不可能になる。そこで、無線中継装置２０は端末側第１ＴＣＨと端末側第２ＴＣＨとの割当スロットの組み合わせが、第１スロット、第４スロットとなる場合、無線基地局３０にＴＣＨ追加再要求信号６を送信する。
【００３４】
無線基地局３０は、ＴＣＨ追加再要求信号６を受信すると、先に基地局側第２ＴＣＨとして割り当てた割当チャネル以外の通信チャネルを割り当て、ＴＣＨ追加割当信号４によって無線中継装置２０に送信する。先に基地局側第２ＴＣＨとして割り当てた割当チャネル以外の通信チャネルを割り当てられなければ、先に基地局側第２ＴＣＨとして割り当てた割当チャネルをＴＣＨ追加割当信号４によって無線中継装置２０に送信する。ここで、無線基地局３０は、基地局側第２ＴＣＨとして第４スロットを割り当てたとする。
【００３５】
無線中継装置２０は、ＴＣＨ追加割当信号４を受信すると、割当チャネルが使用可能かどうか調べ、使用可能であれば、基地局側第２ＴＣＨの同期を確立する。ここで第４スロットは端末側の制御チャネルであるが、端末側ＬＣＣＨを停止して基地局側第２ＴＣＨの同期を確立する。
そして、端末側第２ＴＣＨの通信チャネルを割り当てる端末側第２ＴＣＨに割り当てる割当チャネルは、基地局側第１ＴＣＨ、基地局側第２ＴＣＨ、端末側第１ＴＣＨで割り当てられた割当チャネル以外とする基地局側第１ＴＣＨの割当チャネルが第３スロット、端末側第１ＴＣＨの割当チャネルが第２スロット、基地局側第２ＴＣＨの割当チャネルが第４スロットとすると、端末側第２ＴＣＨの割当チャネルは第１スロットとなる。無線中継装置２０は、端末側第２ＴＣＨの割当チャネルをＴＣＨ追加割当信号４で無線端末１０に送信する。
【００３６】
無線端末１０は、ＴＣＨ追加割当信号４を受信すると、割当チャネルが使用可能かどうか調べ、使用可能であれば、端末側側第２ＴＣＨの同期を確立する。
図５は、本発明を用いた場合の呼接続確率のシミュレーションの結果を、従来例の場合と比較して示す図である。シミュレーションの諸元は、無線基地局３０では、制御チャネル１つと通信チャネル３つ使用可能であり、空き通信チャネルは２つ、又は３つである。
【００３７】
本発明によれば、図５に示されるように、空き通信チャネルが２つの場合で、呼接続確率を約３０％改善できる。
【００３８】
【発明の効果】
以上の通り、本発明は、無線基地局と無線中継装置との間で割り当てられた１つ目の通信チャネルを選択し、この割り当てられた１つ目の通信チャネル及び無線基地局から送信される制御チャネルから無線端末に割り当てる通信チャネルを決定することにより、無線基地局から割り当てられた２つ目の通信チャネルが無線端末に割り当てた１つ目の通信チャネルに等しくなることを防ぎ、呼損率を低減させることができる。また、特定の通信チャネルの組合せでは通信不可能となる無線端末に対して、その特定の組合せの通信チャネルを割り当てることを防ぐことが可能となり、呼損率を低減させることができる。
【００３９】
また、本発明によれば、無線端末が無線基地局との通信チャネルを確立するための通信チャネルの割当を効率的に行うことによって、呼損率を減少させることができる。
【図面の簡単な説明】
【図１】無線通信システムの構成例を示す図である。
【図２】実施の形態を説明するためシーケンス図である。
【図３】通信チャネルの割当制御を示すフローチャートである。
【図４】端末側第１ＴＣＨの割当チャネルを決定するテーブルの例である。
【図５】呼接続確率のシミュレーションの結果を示す図である。
【図６】無線通信システムでの無線チャネル割当方法のシーケンス図である。
【符号の説明】
１０    無線端末
２０    無線中継装置
３０    無線基地局
【図１】
0003613384.tif 000002
【図２】
0003613384.tif 000003
【図３】
0003613384.tif 000004
【図４】
0003613384.tif 000005
【図５】
0003613384.tif 000006
【図６】
0003613384.tif 000007